(57)【要約】      （修正有）【課題】複数のトイレットペーパーの収納容器であると共に給紙器としての機能を備え、最下段のトイレットペーパーの上段のトイレットペーパーの負荷による変形を防止し、かつ、トイレットペーパーの交換・補給を容易に行うことができるトイレットペーパーホルダーを提供する。【解決手段】トイレットペーパーホルダー１は、中空ロールを芯としてロール状に紙が巻かれたトイレットペーパー１０００を、中空ロールが水平となるように鉛直方向に複数個収納可能であり、背板７２と上部正面板７４、底板７６と開閉可能な上部蓋板７８、上部正面板７４と背板７２とを接続して中央部下方に凹状窓を設けた左側板と右側板８０Ｒ、左右の側板に付設した左右一対の取出し機構、および左右一対の取出し機構と連動する抑え蓋３０より構成され、上部正面板７４と底板７６間にトイレットペーパー１個分の取出し口８２を設けた略直方体形状の収納箱７０で構成される。【選択図】図１
2013184012.tif 000002
【特許請求の範囲】
【請求項１】
中空ロールを芯としてロール状に紙が巻かれたトイレットペーパーを、中空ロールが水平となるように鉛直方向に複数個収納可能であり、
背板と上部正面板、底板と開閉可能な上部蓋板、該上部正面板と該背板とを接続して中央部下方に凹状窓を設けた左側板と右側板、該左右の側板に付設した左右一対の取出し機構、および該左右一対の取出し機構と連動する抑え蓋より構成され、該上部正面板と該底板間にトイレットペーパー１個分の取出し口を設けた略直方体形状の収納箱を含むトイレットペーパーホルダーであって、
前記左右一対の取出し機構は、
前記凹状窓を囲んで前記底板付近まで延伸し、縁部を水平に横断する複数の支持軸を有する窓枠と、
前記上部蓋板側から前記底板側へ降順に、左右に対向する第１の係止具および上段と下段を連結部により連結した左右に対向する第２、第３のステップ型係止具と、
少なくとも該第２、第３のステップ型係止具の各々の該上段側端部を回動自在に連結すると共に、外方向に突出して折り曲げピンを外側部に設けた左右の対向する連結バーと、
を有し、該上段と該連結部の境界周辺部に設けた支持孔に該窓枠を水平に横断する複数の支持軸を貫通させて、少なくとも該第２、第３の左右の対向するステップ型係止具を該支持軸に対して回動自在に軸支させて、該ステップ型係止具と前記上段側端部で連結した前記連結バーとを連動させ、
前記抑え蓋を、背板側端部が前記背板の左右側部または前記左右の側板に上下動自在に軸支された左右のレバーの正面側端部付近に取付け、
該左右のレバーを放置状態で、
該抑え蓋は前記収納箱の最下段に位置するトイレットペーパーに前記取出し口を介して上方から当接すると共に、該左右のレバーは前記連結バーの側部に設けた左右の前記ピンの下方に位置させ、
かつ、前記取出し機構は、前記左右の対向する第２、第３のステップ型係止具の下段を水平に前記収納箱内にセットさせ、
前記左右のレバーが放置状態から上昇して、前記所定の位置で前記左右のピンに当接すると前記連結バーが上方に持ち上がると共に前記左右の側板側に接近し、かつ、前記第２、第３のステップ型係止具は該収納箱内から解放され、
所定の位置まで該左右の連結バーが該左右の側板に接近した位置で該左右のレバーが該左右のピンから外れて、該左右の連結バーが前記放置状態に復帰する、
トイレットペーパーホルダー。
【請求項２】
前記取出し機構において、
上段と下段を前記連結部により連結した前記左右に対向する第２、第３のステップ型係止具は、
前記左右のレバーを放置状態で、
該第３の左右のステップ型係止具の該左右の下段が、最下段のトイレットペーパーの中空ロール内に水平に挿入され、
および、
該第２の左右のステップ型係止具の該左右の下段が、最下段のトイレットペーパーの１つ上方のトイレットペーパーの最下端と水平に当接され、
該左右の連結バーの上昇と共に該左右のステップ型係止具が該支持軸を軸として回動し、該第３および第２の左右のステップ型係止具の該左右の下段が、それぞれ最下段のトイレットペーパーの中空ロール内から、および、その１つ上方のトイレットペーパーの最下端との当接から該回動により解放される、
請求項１に記載のトイレットペーパーホルダー。
【請求項３】
前記取出し機構において、
前記左右の第１の係止具は前記左右の側板の中央部に設けた凹状窓の上部に設けられ、下方にのみ回動可能な棒状の係止具であり、
放置状態で、該左右の側板内部に水平に突出しており、
上方から一定以上の圧力を受けることによって下方に回動し、該一定以上の圧力の除去と共に該放置状態に復元する、
請求項２に記載のトイレットペーパーホルダー。
【請求項４】
前記取出し機構において、
前記左右の連結バーは、前記左右に対向する第２、第３のステップ型係止具の各々の該上段側端部を連結すると共に、前記左右の第１の係止具をも連結し、
前記左右のレバーが放置状態から上昇し、前記所定の位置で前記左右のピンに当接して前記連結バーが上方に持ち上がると共に前記左右の側板側に接近し、該左右の第１の係止具が最下段のトイレットペーパーの２つ上方のトイレットペーパーの中空ロール内に略水平に挿入されると共に、
前記第２、第３のステップ型係止具が該収納箱内から解放される、
請求項２に記載のトイレットペーパーホルダー。
【請求項５】
前記左右に対向する第１の係止具は、上段と下段を連結部により連結した左右に対向する第１のステップ型係止具であり、
前記左右の連結バーの上端付近に、該左右の第１のステップ型係止具の下段側端部をそれぞれ連結し、
該左右の第１のステップ型係止具を、該下段と該連結部の境界周辺部に設けた支持孔に前記支持軸を貫通させ、該支持軸に対して回動自在に軸支させて、該左右の第１のステップ型係止具と前記下段側端部で連結した該左右の連結バーとを連動させ、
該左右の連結バーの上昇と共に該左右のステップ型係止具が該支持軸に対して回動し、該左右の第１のステップ型係止具の該左右の上段が、最下段のトイレットペーパーの２つ上方のトイレットペーパーの中空ロール内に略水平に挿入される、
請求項４に記載のトイレットペーパーホルダー。
【請求項６】
前記収納箱において、
前記左右の側板は、前記上部正面板と前記底板および前記背板とを接続し、前記第１乃至第３のステップ型係止具を前記窓枠の支持軸にそれぞれ支持した左右の連結バーを取り付けるための長方形ないしＬ字型の取付窓を有し、
該第１乃至第３のステップ型係止具が該支持軸の周りに回動可能なように、該左右の連結バーを、該長方形ないしＬ字型の取付窓に固定した請求項５に記載のトイレットペーパーホルダー。
【請求項７】
前記ピンは、前記左右の対向する連結バーの外方向に突出した下方にのみ折り曲げ可能なピンであり、上方から圧力を受けることによって下方に回動し、該圧力の除去と共に該放置状態に復元する、請求項１乃至６のいずれかに記載のトイレットペーパーホルダー。
【請求項８】
前記収納箱は、断面視でトイレットペーパー１個分程度の高さの斜面が、前記背板から前記底板にまで設けられており、
前記左右のレバーを放置状態で、
前記第３のステップ型係止具の下段が、最下段のトイレットペーパーの中空ロール内に水平にセットされ、
かつ、第２のステップ型係止具の下段が、最下段のトイレットペーパーの１つ上方のトイレットペーパーの下端に水平に当接するように、
該第３および第２のステップ型係止具の前記連結部が調整されて、前記連結バーに該第３および第２のステップ型係止具の上段が連結された、
請求項１乃至７のいずれかに記載のトイレットペーパーホルダー。
【請求項９】
前記左右のレバーを放置状態で、前記連結バーは、前記第２、第３のステップ型係止具の下段が水平に前記収納箱内に設置されるように、前記左右の側板または前記底板に弾性体により結合され、
前記左右のレバーが前記放置状態から上昇すると共に該弾性体は伸長し、
該弾性体が収縮することによって該左右のレバーが該放置状態に復帰する、
請求項１に記載のトイレットペーパーホルダー。
【請求項１０】
前記収納箱の前記底板の直下に、該底板および該収納箱の背板、左右側板と連続させた収容箱を設け、
該底板の中央から該収容箱に前記中空ロールが落下するように落下穴を設けた、
請求項１に記載のトイレットペーパーホルダー。
【発明の詳細な説明】
【技術分野】
【０００１】
本発明は、複数のトイレットペーパーを収容可能で、かつ使い終えたトイレットペーパーを容易に交換することができるトイレットペーパーホルダーに関する。
【背景技術】
【０００２】
近年、コンビニエンス・ストアや各種量販店、病院、公共施設等のトイレ事情は著しく改善され、所用のため訪れた大抵の場所でトイレを利用することができるようになった。また、トイレはより清潔的に、より広々と設計されるようになり、一種の休息場としても活用されるようになっている。
【０００３】
このようにトイレはゆとり空間としての機能を持つに至っているが、ストック用のトイレットペーパーは依然としてトイレ空間の片隅や棚の上にそのまま重ねられて置かれているのが現状である。そのためトイレでは常用する水に対して無防備であり、トイレ空間の美観を損ねるという問題があった。
【０００４】
こうした問題に対処すべく、トイレットペーパーを保管するための容器についていくつかの便利で簡易な考案が提案されている。
【０００５】
例えば特許文献１では、「上面にロール状のトイレットペーパー投入口を有し、内部にトイレットペーパーを横臥状態で上下方向に数個積載収容し得る容積を有する箱形の収納容器と、該収納容器上面におけるトイレットペーパー投入口を閉塞する蓋板と、前記収納容器の下側部前面壁と両側壁の一部とに亘って設けられた開口部よりなるトイレットペーパー取り出し口と、前記収納容器の底面壁の中央部より前面壁の開口部がわ適宜長さの位置より上方に向かって突出形成され上端部が最下段のトイレットペーパーの下側周面の一部に当接する高さを有するトイレットペーパーの転出防止用ストッパーとからなることを特徴とするトイレットペーパーストッカー」が開示されている。
【０００６】
また、特許文献２、３にも、上記特許文献１と同様に、それぞれトイレットペーパーの収納箱が開示されているが、これらの収納箱は、単にトイレットペーパーをまとめて収納する目的の容器であり、トイレットペーパーを使用する際の給紙器としての機能を備えていない。
【０００７】
上記特許文献２の考案は、販売時にトイレットペーパーが収容された箱そのままをトイレの壁に掛けて必要な時、簡単に取り出せるストックできる容器としても使え、ロール(トイレットペーパー)の補充もできる箱入りトイレットペーパーに関するものである。この箱入りトイレットペーパーの考案は、箱の下部に最下段のトイレットペーパーの取出し蓋が設けられており、蓋をした状態で内部のトイレットペーパーを水濡れから防御することができる。
【０００８】
また、特許文献３の考案は、「２以上のロール状トイレットペーパーを巻き軸線が鉛直状の上下に積み重ねて収容可能な収容部を有し、後面部を取付面とし、前面部の下半部分に上下高さが立てた状態のロール状トイレットペーパーよりも若干大きい出し入れ口を開口すると共に、この出し入れ口の下縁でもある底面部の前縁中央から同底面部中心まで達して且つ指を入れ可能な幅のスリットを形成してあることを特徴とするロール状トイレットペーパー用収容箱」である。
【０００９】
しかし、これら特許文献１乃至３に係るトイレットペーパーの収容箱は、トイレットペーパーを複数収容した場合、下段側にあるトイレットペーパーは上段のトイレットペーパーの重みで変形し、真円でなくなってしまうという問題があった。
【００１０】
このような問題を解決するため、特許文献４は、「ストック箱の底部と共に断面台形状の筒状部ｔ２を形成できるように折り目を有する正面側受け板を有しており、ストック箱の底部と共に断面台形状の筒状部ｔ１を形成できるように折り目を有する背板側受け板を有」し、そして、最下のトイレットペーパーより幾分上側で左右両端の側板に設けた横孔に挿入するストッパー桟１１５を有し、また、取り出し口１０３の下側に固定するカッター１１６を有するトイレットペーパーストック箱を開示している。
【００１１】
特許文献４の発明は、上記断面台形状の筒状部ｔ１および筒状部ｔ２の各々の傾斜部１０７ｄおよび１０６ａにより、トイレットペーパーの変形を和らげることができる。また、ストッパー桟１１５により最下段のトイレットペーパーに上段のトイレットペーパーの重みがかかることを防止することができる。
【００１２】
しかし、断面台形状の筒状部ｔ１と筒状部ｔ２を設けても最下段のトイレットペーパーには上段のトイレットペーパーの負荷はかかることに変わりはなく、また、ストッパー桟１１５を設けるとトイレットペーパーの出し入れの作業がとても煩雑となる。すなわち、ストッパー桟１１５が常時挿入状態の場合は、最下段のトイレットペーパーを使用した後、取り出し口１０３から手を挿入してストック箱中のトイレットペーパーを下から押し上げて上側から取り出し、取り出し口１０３から挿入してトイレットペーパーを交換する必要がある。また、ストッパー桟１１５を抜き差しする場合は、最初はストッパー桟１１５を抜いた状態で、一個のトイレットペーパーを上から挿入した後、ストッパー桟１１５を挿入、セットしてから、２個目、３個目を上から挿入しなければならない。
【００１３】
【特許文献１】実開昭５８−１１１０９２号公報
【特許文献２】実開平０７−２２９３９号公報
【特許文献３】実用新案登録第３０１５２３９号公報
【特許文献４】特開２００２−１２０８３０号公報
【発明の概要】
【発明が解決しようとする課題】
【００１４】
そこで本発明は、複数のトイレットペーパーの収納容器であると共に給紙器としての機能を備え、最下段のトイレットペーパーの上段のトイレットペーパーの負荷による変形を防止し、かつ、トイレットペーパーの交換・補給を容易に行うことができるトイレットペーパーホルダーを提供することを目的とする。
【課題を解決するための手段】
【００１５】
本発明に係るトイレットペーパーホルダーは、中空ロールを芯としてロール状に紙が巻かれたトイレットペーパーを、中空ロールが水平となるように鉛直方向に複数個収納可能であり、背板と上部正面板、底板と開閉可能な上部蓋板、該上部正面板と該背板とを接続して中央部下方に凹状窓を設けた左側板と右側板、該左右の側板に付設した左右一対の取出し機構、および該左右一対の取出し機構と連動する抑え蓋より構成され、該上部正面板と該底板間にトイレットペーパー１個分の取出し口を設けた略直方体形状の収納箱を含むトイレットペーパーホルダーであって、前記左右一対の取出し機構は、前記凹状窓を囲んで前記底板付近まで延伸し、縁部を水平に横断する複数の支持軸を有する窓枠と、前記上部蓋板側から前記底板側へ降順に、左右に対向する第１の係止具および上段と下段を連結部により連結した左右に対向する第２、第３のステップ型係止具と、少なくとも該第２、第３のステップ型係止具の各々の該上段側端部を回動自在に連結すると共に、外方向に突出して折り曲げピンを外側部に設けた左右の対向する連結バーと、を有し、該上段と該連結部の境界周辺部に設けた支持孔に該窓枠を水平に横断する複数の支持軸を貫通させて、少なくとも該第２、第３の左右の対向するステップ型係止具を該支持軸に対して回動自在に軸支させて、該ステップ型係止具と前記上段側端部で連結した前記連結バーとを連動させ、前記抑え蓋を、背板側端部が前記背板の左右側部または前記左右の側板に上下動自在に軸支された左右のレバーの正面側端部付近に取付け、該左右のレバーを放置状態で、該抑え蓋は前記収納箱の最下段に位置するトイレットペーパーに前記取出し口を介して上方から当接すると共に、該左右のレバーは前記連結バーの側部に設けた左右の前記ピンの下方に位置させ、かつ、前記取出し機構は、前記左右の対向する第２、第３のステップ型係止具の下段を水平に前記収納箱内にセットさせ、前記左右のレバーが放置状態から上昇して、前記所定の位置で前記左右のピンに当接すると前記連結バーが上方に持ち上がると共に前記左右の側板側に接近し、かつ、前記第２、第３のステップ型係止具は該収納箱内から解放され、所定の位置まで該左右の連結バーが該左右の側板に接近した位置で該左右のレバーが該左右のピンから外れて、該左右の連結バーが前記放置状態に復帰する。
【００１６】
本発明に係るトイレットペーパーホルダーは、前記取出し機構において、上段と下段を前記連結部により連結した前記左右に対向する第２、第３のステップ型係止具は、前記左右のレバーを放置状態で、該第３の左右のステップ型係止具の該左右の下段が、最下段のトイレットペーパーの中空ロール内に水平に挿入され、および、該第２の左右のステップ型係止具の該左右の下段が、最下段のトイレットペーパーの１つ上方のトイレットペーパーの最下端と水平に当接され、該左右の連結バーの上昇と共に該左右のステップ型係止具が該支持軸を軸として回動し、該第３および第２の左右のステップ型係止具の該左右の下段が、それぞれ最下段のトイレットペーパーの中空ロール内から、および、その１つ上方のトイレットペーパーの最下端との当接から該回動により解放される。
【００１７】
本発明に係るトイレットペーパーホルダーは、前記取出し機構において、前記左右の第１の係止具は前記左右の側板の中央部に設けた凹状窓の上部に設けられ、下方にのみ回動可能な棒状の係止具であり、放置状態で、該左右の側板内部に水平に突出しており、上方から一定以上の圧力を受けることによって下方に回動し、該一定以上の圧力の除去と共に該放置状態に復元する。
【００１８】
本発明に係るトイレットペーパーホルダーは、前記取出し機構において、前記左右の第１の係止具は前記左右のレバーとそれぞれ連動し、該左右のレバーが放置状態から上昇すると、該第１の係止具が最下段のトイレットペーパーの２つ上方のトイレットペーパーの中空ロール内に略水平に挿入された後、該左右のレバーが前記所定の位置で前記左右のピンに当接して前記連結バーが上方に持ち上がると共に前記左右の側板側に接近し、前記第２、第３のステップ型係止具が該収納箱内から解放される。
【００１９】
本発明に係るトイレットペーパーホルダーは、前記取出し機構において、前記左右の連結バーは、前記左右の第１の係止具および前記左右に対向する第２、第３のステップ型係止具の各々の該上段側端部を連結すると共に、前記左右の第１の係止具をも連結し、前記左右のレバーが放置状態から上昇し、前記所定の位置で前記左右のピンに当接して前記連結バーが上方に持ち上がると共に前記左右の側板側に接近し、該左右の第１の係止具が最下段のトイレットペーパーの２つ上方のトイレットペーパーの中空ロール内に略水平に挿入されると共に、前記第２、第３のステップ型係止具が該収納箱内から解放される。
【００２０】
本発明に係るトイレットペーパーホルダーは、前記左右に対向する第１の係止具は、上段と下段を連結部により連結した左右に対向する第１のステップ型係止具であり、前記左右の連結バーの上端付近に、該左右の第１のステップ型係止具の下段側端部をそれぞれ連結し、該左右の第１のステップ型係止具を、該下段と該連結部の境界周辺部に設けた支持孔に前記支持軸を貫通させ、該支持軸に対して回動自在に軸支させて、該左右の第１のステップ型係止具と前記下段側端部で連結した該左右の連結バーとを連動させ、該左右の連結バーの上昇と共に該左右のステップ型係止具が該支持軸に対して回動し、該左右の第１のステップ型係止具の該左右の上段が、最下段のトイレットペーパーの２つ上方のトイレットペーパーの中空ロール内に略水平に挿入される。
【００２１】
したがって、上記収納箱において、前記左右の側板は、前記上部正面板と前記底板および前記背板とを接続し、前記第１乃至第３のステップ型係止具を前記窓枠の支持軸にそれぞれ支持した左右の連結バーを取り付けるための長方形ないしＬ字型の取付窓を有し、
該第１乃至第３のステップ型係止具が該支持軸の周りに回動可能なように、該左右の連結バーを、該長方形ないしＬ字型の取付窓に固定してもよい。
【００２２】
本発明に係るトイレットペーパーホルダーは、前記ピンは、前記左右の対向する連結バーの外方向に突出した下方にのみ折り曲げ可能なピンであり、上方から圧力を受けることによって下方に回動し、該圧力の除去と共に該放置状態に復元する。
【００２３】
本発明に係るトイレットペーパーホルダーは、前記収納箱は、断面視でトイレットペーパー１個分程度の高さの斜面が、前記背板から前記底板にまで設けられており、前記左右のレバーを放置状態で、前記第３のステップ型係止具の下段が、最下段のトイレットペーパーの中空ロール内に水平にセットされ、かつ、第２のステップ型係止具の下段が、最下段のトイレットペーパーの１つ上方のトイレットペーパーの下端に水平に当接するように、該第３および第２のステップ型係止具の前記連結部が調整されて、前記連結バーに該第３および第２のステップ型係止具の上段が連結されるのが好ましい。
【００２４】
本発明に係るトイレットペーパーホルダーは、前記左右のレバーを放置状態で、前記連結バーは、前記第２、第３のステップ型係止具の下段が水平に前記収納箱内に設置されるように、前記左右の側板または前記底板に弾性体により結合され、前記左右のレバーが前記放置状態から上昇すると共に該弾性体は伸長し、該弾性体が収縮することによって該左右のレバーが該放置状態に復帰するのが好ましい。
【００２５】
本発明に係るトイレットペーパーホルダーは、前記収納箱の前記底板の直下に、該底板および該収納箱の背板、左右側板と連続させた収容箱を設け、該底板の中央から該収容箱に前記中空ロールが落下するように落下穴を設けるのが好適である。
【発明の効果】
【００２６】
本発明に係るトイレットペーパーホルダーは、複数のトイレットペーパーの収納容器であると共に給紙器としての機能を備え、最下段のトイレットペーパーの上段のトイレットペーパーの負荷による変形を防止し、かつ、トイレットペーパーの交換を容易に行うことができる。本発明のトイレットペーパーホルダーの上部正面板を透明の基材で構成することにより、トイレットペーパーの収納残量が一目瞭然となり、その補充が容易とすることができる。
【００２７】
本発明に係るトイレットペーパーホルダーは、左右の側板に左右一対の取出し機構を付設したので、容易にトイレットペーパーの交換を容易に行うことができる。すなわち、取出し機構は、少なくとも第２、第３のステップ型係止具を収納箱に対して回動自在に連結すると共に、外方向に突出したピンを外側部に設けた左右の対向する連結バーを含む第１乃至第３の係止具を具えているので、左右のレバー放置状態で、第３の左右のステップ型係止具の左右の下段が最下段のトイレットペーパーの中空ロール内に水平に挿入され、および、第２の左右のステップ型係止具の左右の下段が最下段のトイレットペーパーの１つ上方のトイレットペーパーの最下端と水平に当接して、最下段のトイレットペーパーを上方のトイレットペーパーの圧力から解放し、第３の左右のステップ型係止具の左右の下段を軸として自由に回転可能とすることができる。
【００２８】
左右のレバー放置状態から当該レバーが上昇して、上記所定の位置で上記左右のピンに当接すると（当接状態）、連結バーが上方に持ち上がると共に左右の側板側に接近し、かつ、第２、第３のステップ型係止具は収納箱内から解放されて（上昇状態）、使い終えた最下段のトイレットペーパーの中空ロールを解放すると共に最下段のトイレットペーパーの１つ上方のトイレットペーパーを底板上に落下させることができる。
【００２９】
また、左右の連結バーが上昇すると共に所定の位置まで左右の側板に接近すると、当該左右のレバーが上記左右のピンから外れて、左右の連結バーを放置状態に復帰させることができる。上述のように、放置状態に復帰した左右のピンは下方にのみ折り曲げ可能であるので、これを下方に折り曲げて左右のレバーを左右のピンの下に再配置することが可能である。
【００３０】
さらに、左右のレバーを放置状態で、連結バーが、第２、第３のステップ型係止具の下段が水平に収納箱内に設置されるように、底板等に左右の弾性体により結合させることにより、左右のレバーが放置状態から上昇すると共に上記弾性体を伸長させ、左右の弾性体が収縮させることによって左右のレバーを元の放置状態に復帰させることができる。
【００３１】
本発明の第１の実施形態では、取出し機構において、左右の第１の係止具は左右の側板の中央部に設けた凹状窓の上部に設けられた下方にのみ回動可能な棒状の係止具であり、放置状態で左右の側板内部に水平に突出しており、上方から一定以上の圧力を受けることによって下方に回動し、当該一定以上の圧力の除去と共に元の放置状態に復元するようにする。したがって、上述のような最下段のトイレットペーパーの交換の過程には関与せず、上部蓋板７８を開いてトイレットペーパーを補充する際に上方から加わる一定以上の圧力により、軸支しているトイレットペーパーを落下させることができる。
【００３２】
なお、左右の第１の係止具が手動で差込式の係止具であっても、最下段のトイレットペーパーの中空ロールを取り出す前にこの左右の差込式の係止具を収納箱内に手動で差し込み、上部蓋板を開いてトイレットペーパーを補充する際に、当該左右の差込式の係止具を収納箱内から引き出せば、容易にトイレットペーパーの交換・補充を行うことができる。
【００３３】
収納箱は、断面視でトイレットペーパー１個分程度の高さの背面受け斜面を背板から底板にまで設け、上部正面板の下方に底板から上方にストッパー壁を突出させ、このストッパー壁の上端から正面受け斜面を形成されるのが好ましい。このような構成とすることにより、背面受け斜面と正面受け斜面上にトイレットペーパーが当接して、トイレットペーパーを安定状態に保つことができる。さらに、最下段のトイレットペーパーが当接するように、底板の正面側と背板側にそれぞれ平行にローラーを取り付けることにより、当該最下段のトイレットペーパーを円滑に回転させることができる。
【００３４】
また、収納箱の底板の直下に、底板および背板、左右側板と連続させた収容箱を設け、底板の中央から収容箱に中空ロールが落下するように落下穴を設けたので、第３のステップ型係止具の下段から解放された中空ロールを、落下穴を介して収容箱に収容して、回収することができる。
【００３５】
抑え蓋を上下動自在に軸支された左右のレバーの正面側端部付近に取付け、当該レバーを放置状態で、抑え蓋は収納箱の最下段に位置するトイレットペーパーに取出し口の上方から当接し、正面側端部に取り付けたカッターにより、トイレットペーパーを切断して使用することができる。また、左右のレバーの正面側端部を連結バーにより連結させれば、より簡単に片手でレバーを持ち上げることができ、片手に障害のある人や力の弱いお年寄り、子供等に有用である。
【００３６】
本発明の第２の実施形態では、取出し機構において、左右の連結バーが、第１の実施形態と同様、左右に対向する第２、第３のステップ型係止具の各々の上段側端部を連結すると共に、左右の第１の係止具をも連結させた。左右の連結バーの上昇と共に左右の３つずつのステップ型係止具がそれぞれ支持軸に対して回動し、左右の第１のステップ型係止具を最下段のトイレットペーパーの２つ上方のトイレットペーパーの中空ロール内に挿入させて軸支し、その下のトイレットペーパーおよび使い尽くした中空ロールを下方に落下させることができる。したがって、第１の実施形態と同様、容易にトイレットペーパーの交換・補充を行うことができる。
【図面の簡単な説明】
【００３７】
【図１】本発明に係るトイレットペーパーホルダーの斜視図。
【図２】本発明に係るトイレットペーパーホルダーの分解斜視図。
【図３（ａ）】本発明に係るトイレットペーパーホルダーの側面断面図。
【図３（ｂ）】本発明に係るトイレットペーパーホルダーの正面拡大図。
【図４（ａ）】本発明に係る取出し機構の正面図（当接状態）。
【図４（ｂ）】本発明に係る取出し機構の正面図（上昇状態）。
【図４（ｃ）】本発明に係る取出し機構の正面図（ピン外れ状態）。
【図４（ｄ）】本発明に係る取出し機構の正面図（復元状態）。
【図５（ａ）】第１の実施形態に係る取出し機構の正面図（放置または当接状態）。
【図５（ｂ）】第１の実施形態に係る取出し機構の正面図（上昇状態）。
【図５（ｃ）】第１の係止具に上方から圧力を加えた際の本発明に係る取出し機構の正面図（復元状態）。
【図５（ｄ）】第１の係止具に加えられた圧力が解除された際の本発明に係る取出し機構の正面図（復元状態）。
【図６（ａ）】本発明に係る第２の実施形態のトイレットペーパーホルダーの正面図（放置または当接状態）。
【図６（ｂ）】第２の実施形態のトイレットペーパーホルダーの正面図（上昇状態）。
【図７】本発明に係る第３の実施形態のトイレットペーパーホルダーの右側面図および第３の実施形態の取出し機構の斜視図。
【図８】本発明に係る取出し機構の一部の斜視図。
【図９】トイレットペーパーの斜視図。
【発明を実施するための形態】
【００３８】
以下、図面を参照しながら本発明に係るトイレットペーパーホルダーの実施形態について説明する。なお、以下各図面を通して同一の構成要素には同一の符号を使用するものとする。
【００３９】
図１、図２を参照して、本発明に係る第１の実施形態のトイレットペーパーホルダー１は、中空ロール１００２を芯としてロール状に紙が巻かれたトイレットペーパー１０００（図９参照）を、中空ロール１００２が水平となるように鉛直方向に複数個収納可能であり、背板７２と上部正面板７４、底板７６と開閉可能な上部蓋板７８、上部正面板７４と背板７２とを接続して中央部下方に凹状窓８０１（８０１Ｌ、８０１Ｒ）を設けた左側板８０Ｌと右側板８０Ｒ、当該左右の側板８０（８０Ｌ、８０Ｒ）に付設した左右一対の取出し機構１０（１０Ｌ、１０Ｒ）、および当該左右一対の取出し機構１０（１０Ｌ、１０Ｒ）と連動する抑え蓋３０より構成され、上部正面板７４と底板７６間にトイレットペーパー１個分の取出し口８２を設けた略直方体形状の収納箱７０を含むトイレットペーパーホルダー１である。上部蓋板７８には取っ手７８１を取り付けるのが好ましい。また、上部正面板７４は、トイレットペーパー１０００の収納残量が一目瞭然となるように透明の基材で構成するのが好ましい。
【００４０】
左右一対の取出し機構１０（１０Ｌ、１０Ｒ）は、上記凹状窓８０１（８０１Ｌ、８０１Ｒ）を囲んで底板７６付近まで延伸し、縁部を水平に横断する複数の支持軸１２２、１２３を有する窓枠１２（１２Ｌ、１２Ｒ）と、上部蓋板７８側から底板７６側へ降順に、左右に対向する第１の係止具１４（１４Ｌ、１４Ｒ）および上段１６１、１８１と下段１６３、１８３を連結部１６２、１８２、１８２’により連結した左右に対向する第２、第３のステップ型係止具１６（１６Ｌ、１６Ｒ）、１８（１８Ｌ、１８Ｒ）と、少なくとも第２、第３のステップ型係止具１６（１６Ｌ、１６Ｒ）、１８（１８Ｌ、１８Ｒ）の各々の上段１６１、１８１側端部を回動自在に連結すると共に、外方向に突出して下方にのみ折り曲げ可能なピン２０１を外側部に設けた左右の対向する連結バー２０（２０Ｌ、２０Ｒ）と、を有する。そして、上段１６１、１８１と連結部１６２、１８２の境界周辺部に設けた支持孔１６４、１８４に窓枠１２を水平に横断する複数の支持軸１２２、１２３を貫通させて、少なくとも第２、第３の左右の対向するステップ型係止具１６（１６Ｌ、１６Ｒ）、１８（１８Ｌ、１８Ｒ）を支持軸１２２、１２３に対して回動自在に軸支させて、ステップ型係止具１６（１６Ｌ、１６Ｒ）、１８（１８Ｌ、１８Ｒ）と上段１６１、１８１側端部で連結した連結バー２０（２０Ｌ、２０Ｒ）とを連動させる。
【００４１】
なお、便宜のため、１２２（１２２Ｌ、１２２Ｒ）、１２３（１２３Ｌ、１２３Ｒ）、１６１（１６１Ｌ、１６１Ｒ）、１６２（１６２Ｌ、１６２Ｒ）、１６３（１６３Ｌ、１６３Ｒ）、１６４（１６４Ｌ、１６４Ｒ）、１８１（１８１Ｌ、１８１Ｒ）、１８２（１８２Ｌ、１８２Ｒ）、１８２’（１８２’Ｌ、１８２’Ｒ）、１８３（１８３Ｌ、１８３Ｒ）、１８４（１８４Ｌ、１８４Ｒ）等を、それぞれ１２２、１２３、１６１、１６２、１６３、１６４、１８１、１８２、１８２’、１８３、１８４等と略記した。以下同様に、誤解が生じるおそれがない限り、本明細書、図面等において、例えば連結バー２０（２０Ｌ、２０Ｒ）を単に連結バー２０と略記することもある。また、図２において、左側の取出し機構１０Ｌは省略している。
【００４２】
窓枠１２（１２Ｌ、１２Ｒ）の底板７６側の枠と支持軸１２３（１２３Ｌ、１２３Ｒ）間には、後述するように、正面側の枠に連結部１８２’（１８２’Ｌ、１８２’Ｒ）を通過させるための切欠き１２５（１２５Ｌ、１２５Ｒ）を設けておくのが好ましい（図２参照）。
【００４３】
また、トイレットペーパーホルダー１は、抑え蓋３０を、背板側端部４２（４２Ｌ、４２Ｒ）が背板７２の左右側部または左右の側板８０（８０Ｌ、８０Ｒ）に上下動自在に軸支された左右のレバー４０（４０Ｌ、４０Ｒ）の正面側端部４４（４４Ｌ、４４Ｒ）付近に取付ける。左右のレバー４０（４０Ｌ、４０Ｒ）を放置状態で、抑え蓋３０は収納箱７０の最下段に位置するトイレットペーパー１０００に取出し口８２を介して上方から当接（図１参照）すると共に、左右のレバー４０（４０Ｌ、４０Ｒ）は連結バー２０（２０Ｌ、２０Ｒ）の側部に設けた左右のピン２０１（２０１Ｌ、２０１Ｒ）の下方に位置させ（図１参照）、かつ、取出し機構１０（１０Ｌ、１０Ｒ）は、左右の対向する第２、第３のステップ型係止具１６（１６Ｌ、１６Ｒ）、１８（１８Ｌ、１８Ｒ）の下段１８３（１８３Ｌ、１８３Ｒ）を水平に前記収納箱内にセットさせる。抑え蓋３０のトイレットペーパー１０００に接する正面側端部には、カッターを取り付けておくのが好適である。また、左右のレバー４０（４０Ｌ、４０Ｒ）の正面側端部４４（４４Ｌ、４４Ｒ）を、図１、図２のように連結バー４６により連結させれば、より簡単に片手でレバー４０を持ち上げることができる。
【００４４】
左右のレバー４０（４０Ｌ、４０Ｒ）が図３（ａ）、図３（ｂ）のように放置状態から上昇して、上記所定の位置で前記左右のピン２０１（２０１Ｌ、２０１Ｒ）に当接すると（当接状態）、図４（ａ）、図４（ｂ）のように連結バー２０（２０Ｌ、２０Ｒ）が上方に持ち上がると共に左右の側板８０（８０Ｌ、８０Ｒ）側に接近し、かつ、第２、第３のステップ型係止具１６（１６Ｌ、１６Ｒ）、１８（１８Ｌ、１８Ｒ）は収納箱７０内から解放され（上昇状態）、所定の位置まで左右の連結バー２０（２０Ｌ、２０Ｒ）が左右の側板８０（８０Ｌ、８０Ｒ）に接近した位置で当該左右のレバー４０（４０Ｌ、４０Ｒ）が左右のピン２０１（２０１Ｌ、２０１Ｒ）から外れて（図４（ｃ）参照）、左右の連結バー２０（２０Ｌ、２０Ｒ）が放置状態に復帰する（図４（ｄ）参照）。
【００４５】
上述のように、ピン２０１は下方にのみ折り曲げ可能であるので、放置状態に復帰した左右の連結バー２０（２０Ｌ、２０Ｒ）の左右のピン２０１（２０１Ｌ、２０１Ｒ）の下方に左右のレバー４０（４０Ｌ、４０Ｒ）を再配置することが可能である。すなわち、ピン２０１は、左右の対向する連結バー２０（２０Ｌ、２０Ｒ）の外方向に突出した下方にのみ折り曲げ可能なピンであり、上方から圧力を受けることによって下方に回動し、該圧力の除去と共に該放置状態に復元する。
【００４６】
引き続き図３（ａ）、図３（ｂ）を参照すると、取出し機構１０（１０Ｌ、１０Ｒ）において、上段１６１、１８１と下段１６３、１８３を連結部１６２、１８２、１８２’により連結した左右に対向する第２、第３のステップ型係止具１６（１６Ｌ、１６Ｒ）、１８（１８Ｌ、１８Ｒ）は、左右のレバー４０（４０Ｌ、４０Ｒ）を放置状態で、第３の左右のステップ型係止具１８（１８Ｌ、１８Ｒ）の左右の下段１８３Ｌ、１８３Ｒが、最下段のトイレットペーパー１０００の中空ロール１００２内に水平に挿入され、および、第２の左右のステップ型係止具１６（１６Ｌ、１６Ｒ）の左右の下段１６３Ｌ、１６３Ｒが、最下段のトイレットペーパー１０００の１つ上方のトイレットペーパー１０００の最下端と水平に当接されるようにする。
【００４７】
そして、左右の連結バー２０（２０Ｌ、２０Ｒ）の上昇（上昇状態）と共に、図４（ａ）〜図４（ｃ）のように左右のステップ型係止具１６（１６Ｌ、１６Ｒ）、１８（１８Ｌ、１８Ｒ）が、支持軸１２２、１２３（図２参照）を軸として回動し、第３および第２の左右のステップ型係止具１８（１８Ｌ、１８Ｒ）、１６（１６Ｌ、１６Ｒ）の左右の下段１８３（１８３Ｌ、１８３Ｒ）、１６３（１６３Ｌ、１６３Ｒ）が、それぞれ最下段のトイレットペーパー１０００の中空ロール１００２内から、および、その１つ上方のトイレットペーパー１０００の最下端との当接から当該回動により解放される。
【００４８】
本第１の実施形態では、図２に示すように、取出し機構１０（１０Ｌ、１０Ｒ）において、左右の第１の係止具１４（１４Ｌ、１４Ｒ）は左右の側板８０（８０Ｌ、８０Ｒ）の中央部に設けた凹状窓８０１（８０１Ｌ、８０１Ｒ）の上部に設けられ、下方にのみ回動可能な棒状の係止具であり、放置状態で左右の側板８０（８０Ｌ、８０Ｒ）内部に水平に突出しており、上方から一定以上の圧力を受けることによって下方に回動し、当該一定以上の圧力の除去と共に元の放置状態に復元するようにする。
【００４９】
すなわち、図５（ａ）〜図５（ｄ）に示すように、左右の第１の係止具１４（１４Ｌ、１４Ｒ）は左右の側板８０（８０Ｌ、８０Ｒ）に左右の固定具１４１（１４１Ｌ、１４１Ｒ）が固定され、左右の支軸１４２（１４２Ｌ、１４２Ｒ）が下方にのみ回動可能で復元可能なように弾性体を介して左右の固定具１４１（１４１Ｌ、１４１Ｒ）に取り付けられている。
【００５０】
次に、本第１の実施形態のトイレットペーパーホルダー１の動作について、図１、図４（ａ）〜図４（ｄ）、図５（ａ）〜図５（ｄ）等を用いて説明する。
【００５１】
図５（ａ）〜図５（ｄ）に示すように、左右のレバー４０（４０Ｌ、４０Ｒ）（図１参照）を放置状態で、第２の左右のステップ型係止具１６（１６Ｌ、１６Ｒ）の左右の下段１６３Ｌ、１６３Ｒは、最下段のトイレットペーパー１０００の１つ上方のトイレットペーパー１０００の最下端と水平に当接しており、左右の第１の係止具１４（１４Ｌ、１４Ｒ）は左右の支軸１４２（１４２Ｌ、１４２Ｒ）により最下段のトイレットペーパー１０００の２つ上方のトイレットペーパー１０００の中空ロール１００２を軸支している（図５（ａ））。左右の第１の係止具１４（１４Ｌ、１４Ｒ）は、最下段のトイレットペーパー１０００の２つ上方のトイレットペーパー１０００の最下端と水平に当接していてもよい。
【００５２】
図４（ｂ）のように、上昇状態で第２の左右のステップ型係止具１６（１６Ｌ、１６Ｒ）の最下段のトイレットペーパー１０００の１つ上方のトイレットペーパー１０００との当接が外れると、図５（ｂ）のように上記トイレットペーパー１０００は落下し、最下段のトイレットペーパー１０００の中空ロール１００２も第３の左右のステップ型係止具１８（１８Ｌ、１８Ｒ）の軸支から解放されるが、左右の支軸１４２（１４２Ｌ、１４２Ｒ）は最下段のトイレットペーパー１０００の２つ上方のトイレットペーパー１０００の中空ロール１００２を相変わらず軸支したままである。
【００５３】
上部蓋板７８（図１参照）を開いて新たなトイレットペーパー１０００を上方から補給等すると、左右の支軸１４２（１４２Ｌ、１４２Ｒ）は上方から一定以上の圧力を受けて図５（ｃ）のように下方に回動し、軸支が外れてトイレットペーパー１０００は落下する。同時に上記圧力が除去されて、支軸１４２（１４２Ｌ、１４２Ｒ）は元の放置状態に復元する（図５（ｄ））。この際、左右の支軸１４２（１４２Ｌ、１４２Ｒ）は、新たに補給されたトイレットペーパー１０００の中空ロール１００２を軸支することとしてもよい。
【００５４】
以下、本発明に係る第１の実施形態のトイレットペーパーホルダー１の構成についてさらに詳細に説明する。
【００５５】
収納箱７０は、図３（ａ）に示すように、断面視でトイレットペーパー１個分程度の高さの背面受け斜面７０１が、背板７２から底板７６にまで設けられているのが好ましい。また、上部正面板７４の下方に、取出し口８２を挟んで底板７６から上方にストッパー壁７１０が突出し、ストッパー壁７１０の上端から正面受け斜面７１１が形成されるのが好ましい。背面受け斜面７０１と正面受け斜面７１１上にトイレットペーパー１０００が当接して、トイレットペーパー１０００を安定状態に保つことができる。
【００５６】
この場合、左右のレバー４０（４０Ｌ、４０Ｒ）を放置状態で、第３のステップ型係止具１８（１８Ｌ、１８Ｒ）の下段１８３（１８３Ｌ、１８３Ｒ）が、最下段のトイレットペーパー１０００の中空ロール１００２内に水平にセットされ、かつ、第２のステップ型係止具１６（１６Ｌ、１６Ｒ）の下段１６３（１６３Ｌ、１６３Ｒ）が、最下段のトイレットペーパー１０００の１つ上方のトイレットペーパー１０００の下端に水平に当接するように、第３および第２のステップ型係止具１８、１６の連結部１８２、１８２’および１６２が調整されて、連結バー２０（２０Ｌ、２０Ｒ）に該第３および第２のステップ型係止具１８（１８Ｌ、１８Ｒ）、１６（１６Ｌ、１６Ｒ）の上段１８１、１６１が連結されるようにする。すなわち、図２に示すように、第３のステップ型係止具１８（１８Ｌ、１８Ｒ）の連結部には、鉛直方向の１８２に加えて水平方向の１８２’を設けて、背面受け斜面７０１の分だけ正面側にずれて載置されるトイレットペーパー１０００の中空ロール１００２に下段１８３（１８３Ｌ、１８３Ｒ）が水平にセットされるように連結部１８２’の長さが調整される。
【００５７】
さらに、図１のように、左右のレバー４０（４０Ｌ、４０Ｒ）を放置状態で、連結バー２０（２０Ｌ、２０Ｒ）は、第２、第３のステップ型係止具１６（１６Ｌ、１６Ｒ）、１８（１８Ｌ、１８Ｒ）の下段１６３（１６３Ｌ、１６３Ｒ）、１８３（１８３Ｌ、１８３Ｒ）が水平に収納箱７０内に設置されるように、左右の側板８０（８０Ｌ、８０Ｒ）または底板７６に左右の弾性体５０により結合され、左右のレバー４０（４０Ｌ、４０Ｒ）が上記放置状態から上昇すると共に上記弾性体５０は伸長し、左右の弾性体５０が収縮することによって左右のレバー４０（４０Ｌ、４０Ｒ）が元の放置状態に復帰するようにするのが好適である。
【００５８】
さらに、図３（ａ）に示すように、収納箱７０の底板７６の直下に、底板７６および収納箱７０の背板７２、左右側板８０（８０Ｌ、８０Ｒ）と連続させた収容箱９０を設け、底板７６の中央から収容箱９０に中空ロール１００２が落下するように落下穴７６１を設けると便利である。第３のステップ型係止具１８（１８Ｌ、１８Ｒ）の下段１８３（１８３Ｌ、１８３Ｒ）から解放された中空ロール１００２を落下穴７６１を介して収容箱９０に収容し、例えば左右側板８０（８０Ｌ、８０Ｒ）と開閉可能に接続した回収蓋９２を開閉することによって収容した中空ロール１００２を回収することができる。また、底板７６には、最下段のトイレットペーパー１０００の回転を円滑とするように、正面側と背板７２側にそれぞれ図１〜図３のようにローラー７６２を取り付けておくことが好ましい。
【００５９】
なお、本第１の実施形態においては、左右の第１の係止具１４（１４Ｌ、１４Ｒ）は、左右の固定具１４１（１４１Ｌ、１４１Ｒ）と下方にのみ回動可能で復元可能な左右の支軸１４２（１４２Ｌ、１４２Ｒ）とより構成したが、左右の第１の係止具１４（１４Ｌ、１４Ｒ）は手動で差込式の係止具であってもよい。図示しないが、最下段のトイレットペーパー１０００の中空ロール１００２を取り出す前に左右の差込式の係止具を収納箱７０内に手動で差し込み、上部蓋板７８を開いてトイレットペーパー１０００を補充する際に、当該左右の差込式の係止具を収納箱７０内から引き出せばよい。
【００６０】
次に、本発明に係る第２の実施形態のトイレットペーパーホルダー１について説明する。
【００６１】
第２の実施形態のトイレットペーパーホルダー１は、取出し機構１０（１０Ｌ、１０Ｒ）において、左右の連結バー２０（２０Ｌ、２０Ｒ）が、図６（ａ）のように上記第１の実施形態と同様、左右に対向する第２、第３のステップ型係止具１６（１６Ｌ、１６Ｒ）、１８（１８Ｌ、１８Ｒ）の各々の上段側端部を連結すると共に、左右の第１の係止具１３（１３Ｌ、１３Ｒ）をも連結する。他の構成は、第１の実施形態と同様とする。
【００６２】
そして、左右のレバー４０（４０Ｌ、４０Ｒ）が図６（ａ）の放置状態（または当接状態）から上昇し、所定の位置で左右のピン２０１（２０１Ｌ、２０１Ｒ）に当接して（当接状態）、連結バー２０（２０Ｌ、２０Ｒ）が図６（ｂ）のように上方に持ち上がる（上昇状態）。それと同時に連結バー２０（２０Ｌ、２０Ｒ）は左右の側板８０（８０Ｌ、８０Ｒ）側に接近し、左右の第１の係止具１３（１３Ｌ、１３Ｒ）が最下段のトイレットペーパー１０００の２つ上方のトイレットペーパーの中空ロール１００２内に略水平に挿入されると共に、第２、第３のステップ型係止具１６（１６Ｌ、１６Ｒ）、１８（１８Ｌ、１８Ｒ）が収納箱７０内から解放される。したがって、最下段のトイレットペーパー１０００の２つ上方のトイレットペーパーは左右の第１の係止具１３（１３Ｌ、１３Ｒ）により軸支され、最下段のトイレットペーパー１０００の１つ上方のトイレットペーパーは左右の第２の係止具１６（１６Ｌ、１６Ｒ）から解放されると共に最下段のトイレットペーパー１０００の中空ロール１００２は左右の第３のステップ型係止具１８（１８Ｌ、１８Ｒ）から解放される。
【００６３】
本第２の実施形態における左右に対向する第１の係止具１３（１３Ｌ、１３Ｒ）は、上段１３１（１３１Ｌ、１３１Ｒ）と下段１３３（１３３Ｌ、１３３Ｒ）を連結部１３２（１３２Ｌ、１３２Ｒ）により連結した左右に対向する第１のステップ型係止具１３（１３Ｌ、１３Ｒ）であり、第２のステップ型係止具１４（１４Ｌ、１４Ｒ）と同様の形状であってよい。ただし、左右の連結バー２０（２０Ｌ、２０Ｒ）の上端付近に、左右の第１のステップ型係止具１３（１３Ｌ、１３Ｒ）の下段側端部をそれぞれ連結し、左右の第１のステップ型係止具１３（１３Ｌ、１３Ｒ）を、下段１３３（１３３Ｌ、１３３Ｒ）と連結部１３２（１３２Ｌ、１３２Ｒ）の境界周辺部に設けた支持孔１３４（１３４Ｌ、１３４Ｒ）に支持軸１２１（１２１Ｌ、１２１Ｒ）を貫通させ、支持軸１２１（１２１Ｌ、１２１Ｒ）に対して回動自在に軸支させて、左右の第１のステップ型係止具１３（１３Ｌ、１３Ｒ）と下段側端部で連結した左右の連結バー２０（２０Ｌ、２０Ｒ）を連動させる。
【００６４】
第１のステップ型係止具１３（１３Ｌ、１３Ｒ）について、より詳細に説明すると、第１のステップ型係止具１３（１３Ｌ、１３Ｒ）は、図６（ａ）、図６（ｂ）のように、第２のステップ型係止具１４（１４Ｌ、１４Ｒ）とは左右のピン２０１（２０１Ｌ、２０１Ｒ）を挟んで逆向きとなるように左右の連結バー２０（２０Ｌ、２０Ｒ）に連結されている。
【００６５】
上記放置状態で、第２のステップ型係止具１６（１６Ｌ、１６Ｒ）が最下段のトイレットペーパー１０００の１つ上方のトイレットペーパーの最下端に当接し、第３のステップ型係止具１８（１８Ｌ、１８Ｒ）が最下段のトイレットペーパー１０００を軸支している状態で、第１の係止具１３（１３Ｌ、１３Ｒ）の上段１３１（１３１Ｌ、１３１Ｒ）は、最下段のトイレットペーパー１０００の２つ上方のトイレットペーパーの中空ロール１００２内から解放されている。そして、左右の連結バー２０（２０Ｌ、２０Ｒ）が上昇すると共に上段１３１（１３１Ｌ、１３１Ｒ）は上記中空ロール１００２内に挿入される。
【００６６】
すなわち、左右の連結バー２０（２０Ｌ、２０Ｒ）の上昇と共に左右のステップ型係止具１３、１４、１６がそれぞれ支持軸１２１、１２２、１２３に対して回動し、左右の第１のステップ型係止具１３（１３Ｌ、１３Ｒ）の左右の上段１３１（１３１Ｌ、１３１Ｒ）が、最下段のトイレットペーパー１０００の２つ上方のトイレットペーパーの中空ロール１００２内に略水平に挿入される（当接状態→上昇状態）。
【００６７】
第１のステップ型係止具１３（１３Ｌ、１３Ｒ）の形状は、このような当接状態から上昇状態における動作を実現するように、その上段１３１（１３１Ｌ、１３１Ｒ）、下段１３３（１３３Ｌ、１３３Ｒ）および連結部１３２（１３２Ｌ、１３２Ｒ）の接続角度や長さ等が調整される。
【００６８】
本発明に係る第３の実施形態のトイレットペーパーホルダー１は、右側面を図７に示すように、収納箱７０において、左右の側板８０（８０Ｌ、８０Ｒ）は、上部正面板７４と底板７６および背板７２とを接続し、第１乃至第３のステップ型係止具１３（１３Ｌ、１３Ｒ）、１６（１６Ｌ、１６Ｒ）、１８（１８Ｌ、１８Ｒ）を窓枠１２（１２Ｌ、１２Ｒ）の支持軸１２１、１２２、１２３にそれぞれ支持した左右の連結バー２０（２０Ｌ、２０Ｒ）を取り付けるための長方形ないしＬ字型の取付窓８０２（８０２Ｌ、８０２Ｒ）を有する。
【００６９】
そして、第１乃至第３のステップ型係止具１３（１３Ｌ、１３Ｒ）、１６（１６Ｌ、１６Ｒ）、１８（１８Ｌ、１８Ｒ）が支持軸１２１、１２２、１２３の周りに回動可能なように、左右の連結バー２０（２０Ｌ、２０Ｒ）を、上記長方形ないしＬ字型の取付窓８０２（８０２Ｌ、８０２Ｒ）にネジやビスなどの固定具により固定する
【００７０】
したがって、本第３の実施形態のトイレットペーパーホルダー１は、第２の実施形態と同様、取出し機構１０（１０Ｌ、１０Ｒ）において、左右の連結バー２０（２０Ｌ、２０Ｒ）が、図７のように、左右に対向する第２、第３のステップ型係止具１６（１６Ｌ、１６Ｒ）、１８（１８Ｌ、１８Ｒ）の各々の上段側端部を連結すると共に、左右の第１の係止具１３（１３Ｌ、１３Ｒ）をも連結する。
【００７１】
図８に示すように、上記放置状態で、最下段のトイレットペーパーの１つ上方のトイレットペーパー１０００の最下端に当接する第２のステップ型係止具１６（１６Ｌ、１６Ｒ）の下段１６３’は、当該トイレットペーパー１０００の変形を防ぐため、トイレットペーパー１０００の底部形状に合わせた弧状としてもよい。
【００７２】
その他の構成、動作は、第２の実施形態と同様であるので省略するが、本第３の実施形態のトイレットペーパーホルダー１においても、片手で容易にトイレットペーパー１０００を取り換えることができ、手の不自由な人やお年寄り年少者の用に供することができる。
【００７３】
以上、本発明に係るトイレットペーパーホルダーの実施形態について説明したが、本発明は上記実施形態に限定されるものではない。例えば、上記のように、本発明のトイレットペーパーホルダーは、取出し機構において、左右の第１の係止具は前記左右のレバーとそれぞれ連動するようにしてもよい。左右のレバーが放置状態から上昇すると、第１の係止具が最下段のトイレットペーパーの２つ上方のトイレットペーパーの中空ロール内に挿入された後、左右のレバーが所定の位置で左右のピンに当接して連結バーが上方に持ち上がると共に左右の側板側に接近し、第２、第３のステップ型係止具が収納箱内から解放されるように構成することもできる。
【００７４】
また、第１〜第３の係止具の形状も、上述のような動作を行いえるものであれば、特に限定されない。トイレットペーパーホルダーを形成する各パーツの材料も特に限定されるものではない。
【００７５】
その他、本発明は、その主旨を逸脱しない範囲で当業者の知識に基づき種々の改良、修正、変更を加えた態様で実施できるものである。
【産業上の利用可能性】
【００７６】
本発明に係るトイレットペーパーホルダーは、トイレットペーパーを使用し得るトイレ、便所に、和風・洋風を問わずに利用することが出来る。
【符号の説明】
【００７７】
１：トイレットペーパーホルダー
１０（１０Ｌ、１０Ｒ）：左右一対の取出し機構
１２（１２Ｌ、１２Ｒ）：左右の窓枠
１２１、１２２、１２３：支持軸
１２５（１２５Ｌ、１２５Ｒ）：左右の切欠き
１３（１３Ｌ、１３Ｒ）：左右の第１の係止具
１４（１４Ｌ、１４Ｒ）：左右の第１の係止具
１４１（１４１Ｌ、１４１Ｒ）：左右の固定具
１４２（１４２Ｌ、１４２Ｒ）：左右の支軸
１６（１６Ｌ、１６Ｒ）：左右の第２のステップ型係止具
１８（１８Ｌ、１８Ｒ）：左右の第３のステップ型係止具
１３１、１６１、１８１：上段
１３２、１６２、１８２、１８２’：連結部
１３３、１６３、１６３’、１８３：下段
１３４、１６４、１８４：支持孔
２０（２０Ｌ、２０Ｒ）：左右の連結バー
２０１（２０１Ｌ、２０１Ｒ）：左右のピン
３０：抑え蓋
４０（４０Ｌ、４０Ｒ）：左右のレバー
４２（４２Ｌ、４２Ｒ）：背板側端部
４４（４４Ｌ、４４Ｒ）：正面側端部
４６：連結バー 
５０：左右の弾性体
７０：収納箱
７０１：背面受け斜面
７１０：ストッパー壁
７１１：正面受け斜面
７２：背板
７４：上部正面板
７６：底板
７６１：落下穴
７６２：ローラー
７８：上部蓋板
７８１：取っ手
８０（８０Ｌ、８０Ｒ）：左右の側板
８０１（８０１Ｌ、８０１Ｒ）：凹状窓
８０２（８０２Ｌ、８０２Ｒ）：取付窓
８２：取出し口
９０：収容箱
９２：回収蓋
１０００：トイレットペーパー
１００２：中空ロール
【図１】
2013184012.tif 000003
【図２】
2013184012.tif 000004
【図３（ａ）】
2013184012.tif 000005
【図３（ｂ）】
2013184012.tif 000006
【図４（ａ）】
2013184012.tif 000007
【図４（ｂ）】
2013184012.tif 000008
【図４（ｃ）】
2013184012.tif 000009
【図４（ｄ）】
2013184012.tif 000010
【図５（ａ）】
2013184012.tif 000011
【図５（ｂ）】
2013184012.tif 000012
【図５（ｃ）】
2013184012.tif 000013
【図５（ｄ）】
2013184012.tif 000014
【図６（ａ）】
2013184012.tif 000015
【図６（ｂ）】
2013184012.tif 000016
【図７】
2013184012.tif 000017
【図８】
2013184012.tif 000018
【図９】
2013184012.tif 000019